(57)【要約】      （修正有）【課題】滑りにくく、手に馴染み、夏場は涼しく冬場は暖かく、かつ、湿気や汚れに強いグリップカバーや、カバーが装着された杖を提供する。【解決手段】グリップカバー１ａ，１ｂは、杖２の持ち手部分２１のほぼ全面を覆う形状であるが、これに限らず、例えば、グリップカバー１ａ，１ｂの両端部１１、１２が開口した筒状をなし、杖２にグリップカバー１ａ，１ｂを着用したときに、杖２の両端部２２、２３がグリップカバーの両端部１１、１２から露出するようになっていてもよい。また、杖２の材質は木製やスチール製等特に限定されない。また、杖２が折り畳み製であってもよい。【選択図】図１
0003194646.tif 000002
【実用新案登録請求の範囲】
【請求項１】
杖の持ち手部分の一部または全部を覆うグリップカバーであって、
複数の孔部を備え、前記持ち手部分と接触する箇所には滑り止めを備えることを特徴とするグリップカバー。
【請求項２】
前記孔部は、メッシュ状である請求項１に記載のグリップカバー。
【請求項３】
少なくとも表面が耐水性を備える請求項１または２に記載のグリップカバー。
【請求項４】
複数の素材が縫合されることにより形成されている請求項１ないし３のいずれかに記載のグリップカバー
【請求項５】
持ち手部分の一部または全部を覆うグリップカバーが装着された杖であって、
前記グリップカバーは、複数の孔部を備え、前記持ち手部分と接触する箇所には滑り止めを備えることを特徴とするグリップカバー付き杖。
【考案の詳細な説明】
【技術分野】
【０００１】
本考案は杖の持ち手部分を覆うグリップカバーおよびグリップカバー付き杖に関する。
【背景技術】
【０００２】
杖の持ち手に付けるカバー（グリップカバー）が知られている。例えば、着脱自在で柔軟性のある平面部材よりなり、該平面部材は杖の支柱が貫通し得る貫通孔を有し、同時に、その両端部に該両端部を互いに接合、剥離することが可能な接合部を有し、しかも滑り止め機能を有しているグリップカバーが知られている。
【０００３】
また、カバー本体が、伸縮性生地からなり、縫製により略筒状に形成されており、前記カバー本体表面の少なくとも両横部には、滑り止め性を有する合成樹脂からなる滑り止め生地が縫製により付設されており、カバー本体裏面の少なくとも一部には、摩擦層が形成されたグリップカバーが知られている。
【先行技術文献】
【特許文献】
【０００４】
【特許文献１】特開２００５−２３７８９３号公報
【特許文献２】登録実用新案第３１２７３４４号公報
【考案の概要】
【考案が解決しようとする課題】
【０００５】
例えば、利用者が杖を一時的に手から離す際、杖を壁に立てかけたり、カウンターに持ち手部分を引っ掛けたりすることがあるが、杖の重心が持ち手部分にあり、また、持ち手部分は滑り止めがついていないため、そのままだと杖は転倒しやすい。同時に、利用者がグリップカバーを把持したときに手のひらのほぼ全面がグリップカバーに接触する場合は、手に汗をかき滑りやすくなる。特に夏場であればこの傾向は顕著である。
【０００６】
１つの側面では、本考案は、滑りにくく、手によく馴染み、夏場は涼しく冬場は暖かく、かつ、湿気や汚れに強いグリップカバーおよびグリップカバー付き杖を提供することを目的とする。
【課題を解決するための手段】
【０００７】
上記目的を達成するために、開示のグリップカバーが提供される。このグリップカバーは、杖の持ち手部分の一部または全部を覆うグリップカバーであって、複数の孔部を備え、持ち手部分、および、手に接触する箇所には滑り止めを備える。
【考案の効果】
【０００８】
１態様では、滑りにくく、手によく馴染み、夏場は涼しく冬場は暖かく、かつ、湿気や汚れに強い。
【図面の簡単な説明】
【０００９】
【図１】第１の実施の形態のグリップカバーを説明する図である。
【図２】グリップカバー単体を説明する図である。
【図３】他の孔部の形状を説明する図である。
【図４】グリップカバーの製造方法を説明する図である。
【図５】グリップカバーを持ち手部分に取り付ける方法を説明する図である。
【図６】第２の実施の形態のグリップカバーを説明する図である。
【図７】第３の実施の形態のグリップカバーを説明する図である。
【考案を実施するための形態】
【００１０】
以下、実施の形態の杖のグリップカバーを、図面を参照して詳細に説明する。
＜第１の実施の形態＞
図１は、第１の実施の形態のグリップカバーを説明する図である。図１（ａ）に示すグリップカバー１ａおよび、図１（ｂ）に示すグリップカバー１ｂは、それぞれ杖２の持ち手部分２１に覆い被せるようにして取り付けられている。
【００１１】
グリップカバー１ａは、１枚の素材で形成されている。グリップカバー１ｂは、３枚の素材が縫合部１０ａ、１０ｂにて互いに縫合もしくは、熱処理等で接着されている。
【００１２】
なお、本実施の形態では、グリップカバー１ａおよびグリップカバー１ｂは、杖２の持ち手部分２１のほぼ全面を覆う形状であるが、これに限らず、例えば、グリップカバー１ａおよびグリップカバー１ｂの両端部１１、１２が開口した筒状をなし、杖２にグリップカバー１ａおよびグリップカバー１ｂを着用したときに、杖２の両端部２２、２３がグリップカバーの両端部１１、１２から露出するようになっていてもよい。また、杖２の形状（持ち手部分２１の形状）は、図示のものに限定されない。また、杖２の材質も木製やスチール製等特に限定されない。また、杖２が折り畳み製であってもよい。
【００１３】
グリップカバー１ａおよび１ｂの、杖２の持ち手部分２１と一端が地面に接触する支柱２４との接続部２５に対応する箇所には開口部１３が設けられている。この開口部１３の形状は特に限定されないが、例えば、コの字型でもよいし、山型になっていてもよい。
【００１４】
図１に示すグリップカバー１ａおよびグリップカバー１ｂは、それぞれ例えばｆｕｎｋｔｏｍｓ社の滑り止めマットと同じような素材で形成されている。具体的には、グリップカバー１ａおよびグリップカバー１ｂは、それぞれＰＶＣ（ポリ塩化ビニール）等の塩化ビニル樹脂を主原料とした可塑性の樹脂で形成されている。このため、グリップカバー１ａおよび１ｂは、多少の柔軟性を持ち、利用者が図１に示すグリップカバー１ａおよびグリップカバー１ｂを把持した場合に手になじむようになっており、素材そのものが滑りにくく、持ち手部分２１と接触する箇所の滑り止めとして機能する。
【００１５】
また、グリップカバー１ａおよびグリップカバー１ｂは、それぞれ耐水性を備え、汚れても洗うことができ、かつ、乾きも革等に比べて早い。また、革等に比べて汚れも付着しにくい。
【００１６】
図２は、グリップカバー単体を説明する図である。
このグリップカバー１ａおよびグリップカバー１ｂは、いわゆるカバーソックスのようなくるぶしを覆う部分がないソックスのような形状（袋状）をなしている。このグリップカバー１ａおよびグリップカバー１ｂの周面には、複数の孔部１４が設けられている。孔部１４の形状は、規則性を備えるメッシュ状になっていてもよいし、不規則になっていてもよい。図２では、やや不規則なメッシュ状になっている。この孔部１４を設けることにより、グリップカバー１ａまたはグリップカバー１ｂを利用者が把持したときに、孔部１４が設けられていないグリップカバーに比べて、手とグリップカバー１ａまたはグリップカバー１ｂとの接触面積を減らすことができ、通気性がよくなり、例えば、グリップカバー１ａまたはグリップカバー１ｂを把持することにより手のひらの温度上昇による不快感や、かく手汗の量を少なくし、滑ってしまうことを抑制することができる。また、手が杖２に直接触れることがなく、冬場は保温効果がある。
【００１７】
図３は、他の孔部の形状を説明する図である。
図３に示すグリップカバー１は、メッシュ状の素材を使用することから、孔部１４ａが複数設けられている。孔部１４ａの長さＨ１、および、幅Ｗ１は、１ｍｍ〜４ｍｍ程度である。また、隣接する孔部１４ａ、１４ａの間隔Ｗ２は、１ｍｍ〜２ｍｍ程度である。
次に、グリップカバー１ａおよびグリップカバー１ｂの製造方法を説明する。
図４は、グリップカバーの製造方法を説明する図である。
まず図４（ａ）に示すように、厚さが１mm〜２ｍｍ程度の塩化ビニル樹脂を主原料とした可塑性の樹脂３０を用意する。
樹脂３０には、複数の孔部１４が設けられている。樹脂３０は加工が容易であり、グリップカバー１の製造が容易になる。
【００１８】
次に、図４（ｂ）１および（ｂ）２に示すように、樹脂３０の開口部１３となる箇所にそれぞれ深さＤ１が２〜３ｃｍ、幅Ｗ３が２．５〜３ｃｍ程度の凹部３１、３２を形成する。
【００１９】
次に、樹脂３０の長手方向の端部３３と、端部３４とを（図４（ｂ）１および（ｂ）２矢印参照）縫製もしくは熱処理等により接着する。これにより、樹脂３０が筒状となる。次に、形成された筒状の両端部を縫製もしくは熱処理等により接着する。以上でグリップカバー１ａおよびグリップカバー１ｂが出来上がる。
次に、グリップカバー１ａ（またはグリップカバー１ｂ）を持ち手部分２１に取り付ける方法を説明する。
【００２０】
図５は、グリップカバーを持ち手部分に取り付ける方法を説明する図である。
まず、図５（ａ）に示すように、持ち手部分２１の端部２２に開口部１３を嵌める。そして、グリップカバー１ａを把持して端部１２を端部２３方向に引っ張る。途中、図５（ｂ）に示すように、開口部１３の幅が広がる箇所があるが、グリップカバー１ａは柔軟性を備えているため、グリップカバー１ａが破れることを抑制することができる。
その後、端部１２を端部２３に被せる。その後適当に形を整えると、グリップカバー１ａが持ち手部分２１に馴染む。
【００２１】
以上説明したように、本実施の形態のグリップカバー１ａおよびグリップカバー１ｂによれば、持ち手部分２１と接触する箇所には滑り止めを備えた。これにより、グリップカバー１ａおよびグリップカバー１ｂが、持ち手部分２１に対し滑りにくくなり、グリップカバー１が持ち手部分２１に対し滑ることで転倒する可能性を低減することができる。また、持ち手部分２１に複数の孔部１４を備えた。これにより、グリップカバー１ａおよびグリップカバー１ｂと手のひらとの接触面積が減ることにより、かく汗の量が減るため、汗で滑ったり、不快になることを抑制することができると同時に、冬場は保温効果がある。特にグリップカバー１ａおよびグリップカバー１ｂの材質に耐水性のものを用いる場合は、グリップカバー１が汗を吸い込みにくいので、都合が良い。
【００２２】
また、縫製もしくは熱処理による接着によりグリップカバー１を作成するため、例えば、マジックテープ等で着脱できるようにする場合に比べ製造コストを削減することができる。また、着脱出来るタイプのカバーは、誤ってカバーが持ち手部分２１から外れてしまう場合もあり得る。グリップカバー１ａおよびグリップカバー１ｂによれば、持ち手部分２１から外れてしまうことを抑制することができる。
【００２３】
ところで、グリップカバー１ａおよびグリップカバー１ｂを販売する場合には、グリップカバー１を単体で販売するようにしてもよいし、グリップカバー１ａおよびグリップカバー１ｂと同じ塩化ビニル等のカバーを装着した杖２を販売するようにしてもよい。
＜第２の実施の形態＞
次に、第２の実施の形態のグリップカバーについて説明する。
以下、第２の実施の形態のグリップカバーについて、前述した第１の実施の形態との相違点を中心に説明し、同様の事項については、その説明を省略する。
図６は、第２の実施の形態のグリップカバーを説明する図である。
【００２４】
第２の実施の形態のグリップカバー１ｃは、グリップカバー１ａおよびグリップカバー１ｂと同じ塩化ビニル等で形成されている。また、シャワーキャップのような形状をしており、接続部２５に対応する箇所には開口部１３ａが設けられている。
【００２５】
このグリップカバー１ｃによれば、グリップカバー１ａおよびグリップカバー１ｂに比べ、着脱時に開口部１３ａが伸縮性のあるゴムにより大きく開く。このため、さらに着脱が容易になる。また、持ち手部分２１との摩擦力も大きく、一旦持ち手部分２１にグリップカバー１ｃを装着してしまえば、誤ってグリップカバー１ｃが持ち手部分２１から外れてしまうことを抑制することができる。
＜第３の実施の形態＞
次に、第３の実施の形態のグリップカバーについて説明する。
【００２６】
図７は、第３の実施の形態のグリップカバーを説明する図である。
第３の実施の形態のグリップカバー１ｄを備える杖２ａは、グリップカバー１ａと同じ塩化ビニル等を、杖２ａの持ち手部分の形状に合わせて包むように装着して接続部２５で固定している。グリップカバー付き杖２ａによれば、持ち手部分を握るとき、より手にフィットする。グリップカバー１ａ、１ｂおよびグリップカバー１ｃのような杖２への容易な着脱は目的としていない。
【００２７】
以上、本考案のグリップカバーおよびグリップカバー付き杖を、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
【符号の説明】
【００２８】
１、１ａ、１ｂ、１ｃ  グリップカバー
２、２ａ  杖
１３、１３ａ  開口部
１４、１４ａ  孔部
２１  持ち手部分
【図１】
0003194646.tif 000003
【図２】
0003194646.tif 000004
【図３】
0003194646.tif 000005
【図４】
0003194646.tif 000006
【図５】
0003194646.tif 000007
【図６】
0003194646.tif 000008
【図７】
0003194646.tif 000009